(57)【要約】【課題】年齢の低い幼児であっても人形本体に衣服部品を容易に着脱することができる玩具を提供する。【解決手段】頭部１２と胴体部２０とを備えた人形本体１１と、人形本体１１を着脱自在な衣服部品４０と、を備えた玩具１０であって、衣服部品４０の上部に形成された挿入孔４０ａから人形本体１１の胴体部２０を差し込んで装着することができる。衣服部品４０に人形本体１１を差し込むことで、付勢部材６７の付勢力に抗して腕部材５０および脚部材６０が衣服部品４０の外部に突出する。【選択図】図９
2013223583.tif 000002
【特許請求の範囲】
【請求項１】
頭部と胴体部とを備えた人形本体と、前記人形本体を着脱自在な衣服部品と、を備えた玩具であって、
前記衣服部品は、外殻部材と、前記外殻部材から突出可能な腕部材と、前記外殻部材から突出可能な脚部材と、を備え、
前記脚部材および前記腕部材は、付勢部材によって反突出方向に付勢されて前記外殻部材の内部に格納されており、
前記衣服部品の上部に形成された挿入孔から前記人形本体の胴体部を差し込むことで、前記付勢部材の付勢力に抗して前記腕部材および前記脚部材が前記衣服部品の外部に突出することを特徴とする、玩具。
【請求項２】
前記人形本体は、ラックギアを備え、
前記衣服部品は、前記脚部材に回転可能に軸支されるピニオンギアと、前記外殻部材に形成されたラックギア部と、を備えるとともに、前記ピニオンギアと前記ラックギア部とは噛合しており、
前記衣服部品の挿入孔から前記人形本体の胴体部を差し込んだときに、前記ラックギアが前記ピニオンギアを回転させ、この前記ピニオンギアの回転力が前記ラックギア部に伝達され、前記外殻部材と前記脚部材とが相対的に移動することを特徴とする、請求項１記載の玩具。
【請求項３】
前記人形本体の前記胴体部は、前記頭部に対して進退可能に形成されるとともに、胴体付勢手段によって前記頭部から突出する方向に付勢されており、
前記胴体付勢手段の付勢力に抗して前記胴体部を前記頭部へ押し込んだときに、前記胴体部の内部に格納された前記ラックギアが露出することを特徴とする、請求項２記載の玩具。
【請求項４】
前記外殻部材には、前記腕部材と係合可能な揺動部材が揺動可能に支持されており、
前記外殻部材と前記脚部材とが相対的に移動したときに、前記脚部材が前記揺動部材を揺動させ、揺動した前記揺動部材が前記腕部材を外方に突出させることを特徴とする、請求項２又は３記載の玩具。
【請求項５】
前記ラックギアの先端に係合部を設けるとともに、前記脚部材の内側に被係合部を設け、
前記係合部が前記被係合部に係合することで、前記人形本体が前記衣服部品に装着された状態を維持することを特徴とする、請求項２〜４のいずれかに記載の玩具。
【発明の詳細な説明】
【技術分野】
【０００１】
この発明は、人形本体に衣服部品を着脱することで着せ替え遊びができる玩具に関する。
【背景技術】
【０００２】
従来の着せ替え人形は、人形に布製の衣裳を着せるタイプのものである。こうした着せ替え人形では、例えば、衣装は背中部分で縦割りに分離されているとともに、分離部分に面ファスナーなどが縫い付けられており、人形に衣装を着せて面ファスナーなどで分離部分を結合させることにより、衣装を人形に着せるようにしている。
【０００３】
この種の着せ替え人形において着せ替えを容易とする発明として、例えば特許文献１には、ベルト体の中間部を引っ張るだけで簡単且つ、容易に衣裳を脱ぎ去ることができ、手早く着せ替えを行うことができる着せ替え人形が提案されている。
【先行技術文献】
【特許文献】
【０００４】
【特許文献１】特開平９−２７６５５７号公報
【発明の概要】
【発明が解決しようとする課題】
【０００５】
しかし、上記した従来の着せ替え人形では、人形に衣装を着せるにはある程度の手先の器用さが必要となり、年齢の低い幼児が遊ぶには困難が生じる場合があった。なお、引用文献１記載の着せ替え人形は、衣装を脱がせることは容易であるものの、衣装を着せることまで容易とするものではなく、年齢の低い幼児が遊ぶには困難であった。
【０００６】
そこで、本発明は、年齢の低い幼児であっても人形本体に衣服部品を容易に着脱することができる玩具を提供することを課題とする。
【課題を解決するための手段】
【０００７】
本発明は、上記した課題を解決するためになされたものであり、以下を特徴とする。
【０００８】
（請求項１）
請求項１に記載の発明は、以下の点を特徴とする。
【０００９】
すなわち、請求項１に記載の玩具は、頭部と胴体部とを備えた人形本体と、前記人形本体を着脱自在な衣服部品と、を備えた玩具であって、前記衣服部品は、外殻部材と、前記外殻部材から突出可能な腕部材と、前記外殻部材から突出可能な脚部材と、を備え、前記脚部材および前記腕部材は、付勢部材によって反突出方向に付勢されて前記外殻部材の内部に格納されており、前記衣服部品の上部に形成された挿入孔から前記人形本体の胴体部を差し込むことで、前記付勢部材の付勢力に抗して前記腕部材および前記脚部材が前記衣服部品の外部に突出することを特徴とする。
【００１０】
（請求項２）
請求項２に記載の発明は、上記した請求項１記載の発明の特徴点に加え、以下の点を特徴とする。
【００１１】
すなわち、前記人形本体は、ラックギアを備え、前記衣服部品は、前記脚部材に回転可能に軸支されるピニオンギアと、前記外殻部材に形成されたラックギア部と、を備えるとともに、前記ピニオンギアと前記ラックギア部とは噛合しており、前記衣服部品の挿入孔から前記人形本体の胴体部を差し込んだときに、前記ラックギアが前記ピニオンギアを回転させ、この前記ピニオンギアの回転力が前記ラックギア部に伝達され、前記外殻部材と前記脚部材とが相対的に移動することを特徴とする。
【００１２】
（請求項３）
請求項３に記載の発明は、上記した請求項２記載の発明の特徴点に加え、以下の点を特徴とする。
【００１３】
すなわち、前記人形本体の前記胴体部は、前記頭部に対して進退可能に形成されるとともに、胴体付勢手段によって前記頭部から突出する方向に付勢されており、前記胴体付勢手段の付勢力に抗して前記胴体部を前記頭部へ押し込んだときに、前記胴体部の内部に格納された前記ラックギアが露出することを特徴とする。
【００１４】
（請求項４）
請求項４に記載の発明は、上記した請求項２又は３記載の発明の特徴点に加え、以下の点を特徴とする。
【００１５】
すなわち、前記外殻部材には、前記腕部材と係合可能な揺動部材が揺動可能に支持されており、前記外殻部材と前記脚部材とが相対的に移動したときに、前記脚部材が前記揺動部材を揺動させ、揺動した前記揺動部材が前記腕部材を外方に突出させることを特徴とする。
【００１６】
（請求項５）
請求項５に記載の発明は、上記した請求項２〜４のいずれかに記載の発明の特徴点に加え、以下の点を特徴とする。
【００１７】
すなわち、前記ラックギアの先端に係合部を設けるとともに、前記脚部材の内側に被係合部を設け、前記係合部が前記被係合部に係合することで、前記人形本体が前記衣服部品に装着された状態を維持することを特徴とする。
【発明の効果】
【００１８】
請求項１に記載の発明は上記の通りであり、頭部と胴体部とを備えた人形本体と、前記人形本体を着脱自在な衣服部品と、を備え、前記衣服部品の上部に形成された挿入孔から前記人形本体の胴体部を差し込むことで、付勢部材の付勢力に抗して腕部材および脚部材が前記衣服部品の外部に突出するため、年齢の低い幼児であってもワンタッチで容易に衣服の着脱をすることができる。また、人形本体の挿抜に合わせて腕部材および脚部材が衣服部品の内外に出没するため、人形が衣服を着たり脱いだりする様子を新規な印象で表現することができる。
【００１９】
また、請求項２に記載の発明は上記の通りであり、前記衣服部品の挿入孔から前記人形本体の胴体部を差し込んだときに、人形本体のラックギアが脚部材のピニオンギアを回転させ、このピニオンギアの回転力が外殻部材のラックギア部に伝達され、外殻部材と脚部材とが相対的に移動する。このため、人形本体の挿入によって外殻部材が脚部材に対してせり上がるように形成することができ、接地した衣服部品の上から人形本体を挿入した場合でも、外殻部材が脚部材に対してせり上がることで脚部材を衣服部品の外部に突出させることができる。例えば、地面に置いた衣服部品に対して、幼児が片手で持った人形本体を挿入して上から押し付けるような操作をした場合でも、人形本体を衣服部品に装着することができる。
【００２０】
また、請求項３に記載の発明は上記の通りであり、前記人形本体の胴体部を頭部へ押し込んだときに、胴体部の内部に格納されたラックギアが露出するようになっている。このため、衣服部品に取り付けていない状態では人形本体のラックギアが露出しないようにすることができ、ラックギアが露出することによって外観が不自然になるといった問題がない。
【００２１】
また、請求項４に記載の発明は上記の通りであり、前記外殻部材と前記脚部材とが相対的に移動したときに、前記脚部材が揺動部材を揺動させ、揺動した前記揺動部材が前記腕部材を外方に突出させるため、脚部材の動きに連動させて腕部材を作動させることができる。
【００２２】
また、請求項５に記載の発明は上記の通りであり、前記ラックギアの先端に係合部を設けるとともに、前記脚部材の内側に被係合部を設け、前記係合部が前記被係合部に係合することで、前記人形本体が前記衣服部品に装着された状態を維持するので、ラックギアが所定の位置まで挿し込まれた状態（すなわち外殻部材と脚部材とが所定の位置まで相対的に移動した状態）で固定することができる。また、このように固定した人形本体と衣服部品とを分離する際には、脚部材を外殻部材の方向に押し込むことで係合部と被係合部との係合を解除すればよく、容易に人形本体と衣服部品とを分離することができる。
【図面の簡単な説明】
【００２３】
【図１】第１の実施形態に係る人形本体の外観斜視図であって、（ａ）斜め上から見た図、（ｂ）斜め下から見た図である。
【図２】第１の実施形態に係る衣装部品の外観斜視図であって、（ａ）斜め上から見た図、（ｂ）斜め下から見た図である。
【図３】第１の実施形態に係る人形本体を衣装部品に取り付ける様子を示す図であって、（ａ）取り付け前の図、（ｂ）取り付け後の図である。
【図４】第１の実施形態に係る玩具の分解斜視図である。
【図５】第１の実施形態に係る玩具の内部機構を示す図であって、人形本体を衣装部品に取り付ける前の図である。
【図６】第１の実施形態に係る玩具の内部機構を示す図であって、人形本体を衣装部品に取り付けた後の図である。
【図７】第２の実施形態に係る人形本体の外観斜視図であって、（ａ）斜め上から見た図、（ｂ）斜め下から見た図である。
【図８】第２の実施形態に係る衣装部品の外観斜視図であって、（ａ）斜め上から見た図、（ｂ）斜め下から見た図である。
【図９】第２の実施形態に係る人形本体を衣装部品に取り付ける様子を示す図であって、（ａ）取り付け前の図、（ｂ）取り付け後の図である。
【図１０】第２の実施形態に係る玩具の分解斜視図である。
【図１１】第２の実施形態に係る玩具において、脚部材の突出に係る内部機構を説明する図であって、人形本体を衣装部品に取り付ける前の図である。
【図１２】第２の実施形態に係る玩具において、脚部材の突出に係る内部機構を説明する図であって、人形本体を衣装部品に取り付ける途中の図である。
【図１３】第２の実施形態に係る玩具において、脚部材の突出に係る内部機構を説明する図であって、人形本体を衣装部品に取り付けた後の図である。
【図１４】第２の実施形態に係る玩具において、腕部材の突出に係る内部機構を説明する図であって、人形本体を衣装部品に取り付ける前の図である。
【図１５】第２の実施形態に係る玩具において、腕部材の突出に係る内部機構を説明する図であって、人形本体を衣装部品に取り付ける途中の図である。
【図１６】第２の実施形態に係る玩具において、腕部材の突出に係る内部機構を説明する図であって、人形本体を衣装部品に取り付けた後の図である。
【図１７】第２の実施形態に係る玩具において、係合部と被係合部との係合に係る内部機構を説明する図であって、人形本体を衣装部品に取り付ける前の図である。
【図１８】第２の実施形態に係る玩具において、係合部と被係合部との係合に係る内部機構を説明する図であって、人形本体を衣装部品に取り付けた後の図である。
【発明を実施するための形態】
【００２４】
（第１の実施形態）
本発明の第１の実施形態について、図１〜６を参照しながら説明する。
【００２５】
本実施形態に係る玩具１０は、人形本体１１と、この人形本体１１を着脱自在な衣服部品４０と、を備えている。
【００２６】
人形本体１１は、図１に示すように、略球状の頭部１２と、この頭部１２の下部に連続する略四角柱状の胴体部２０とを備えている。
【００２７】
頭部１２は、図４に示すように、前頭部１３と後頭部１４とが前後に接合して構成されており、胴体部２０の上端部を挟み込むことで胴体部２０と一体的に結合されている。
【００２８】
胴体部２０は、図４に示すように、前胴部２１と後胴部２２とが前後に接合して構成されている。この胴体部２０は、平面視で頭部１２に隠れる大きさとなっており、言い換えると、衣服部品４０への挿入方向に投影したときに胴体部２０の投影領域が頭部１２の投影領域内に収まるようになっている。
【００２９】
胴体部２０の内部には、係合部材２５が格納されており、この係合部材２５の端部が胴体部２０の側部から突出して係合部２５ａを形成している。この係合部材２５は、前胴部２１と後胴部２２とに挟みこんで保持されることで、胴体部２０の内部に固定されている。
【００３０】
一方、衣服部品４０は、図２に示すように、外殻部材４１と、この外殻部材４１から突出可能な腕部材５０及び脚部材６０と、を備えている。
【００３１】
外殻部材４１は、衣服の形状を模した部材であり、本実施形態では袖のあるワンピースの形状となっている。この外殻部材４１は、図４に示すように、前殻部材４２と後殻部材４３とが前後に接合して構成されたものであり、上部には上部開口４１ａが開口し、下部には下部開口４１ｂが開口している。この上部開口４１ａと下部開口４１ｂとは上下に連続しており、衣服部品４０を上下に貫通する挿入孔４０ａを形成している。また、外殻部材４１の両側部には、側部開口４１ｃが開口している。この側部開口４１ｃは、外殻部材４１において、衣服の袖の先端部分に当たる位置に開口している。
【００３２】
なお、上部開口４１ａの大きさは、人形本体１１の胴体部２０が通過できる程度に大きく、人形本体１１の頭部１２が通過できない程度に小さく設定されている。
【００３３】
また、下部開口４１ｂの大きさは、後述する脚部材６０の脚部６１が通過できる程度に大きく、脚部材６０の支持板部６３が通過できない程度に小さく設定されている。
【００３４】
また、側部開口４１ｃの大きさは、腕部材５０の先端が通過できる程度の大きさに設定されている。
【００３５】
腕部材５０は、図４に示すように、左右に２つ（右腕部材５１及び左腕部材５２）設けられており、外殻部材４１の内部（衣服の袖の内側に当たる位置）に形成されたガイド溝４１ｄに摺動可能に格納される。この腕部材５０の基部付近には軸孔５０ａが設けられている。この軸孔５０ａは支持軸５５を保持するためのものである。軸孔５０ａに支持された支持軸５５は、後述する脚部材６０のガイド孔６２ａを貫通し、ガイド孔６２ａに沿って摺動可能となっている。
【００３６】
脚部材６０は、図４に示すように、人形の脚を模した脚部６１と、脚部６１の上端に一体的に設けられた支持板部６３と、支持板部６３の上方に立設する腕支持部６２と、を備えている。この脚部材６０は、挿入孔４０ａの内周面に沿って上下に摺動可能となっている。
【００３７】
脚部６１は、平面視で支持板部６３に隠れる大きさとなっており、言い換えると、人形本体１１の挿入方向に投影したときに脚部６１の投影領域が支持板部６３の投影領域内に収まるようになっている。
【００３８】
支持板部６３の上面は、人形本体１１の挿入方向に対して垂直な接面６０ａを形成している。また、接面６０ａの裏面の両側部にはバネ受部６０ｈが形成されている。このバネ受部６０ｈは、付勢部材としての圧縮バネ６７の付勢力を受けるための部位である。なお、この圧縮バネ６７は、一端がバネ受部６０ｈに固定されるとともに、他端は外殻部材４１に固定される。これにより、脚部材６０は、外殻部材４１に対して反突出方向（上方向）に常時付勢されている。
【００３９】
腕支持部６２は、支持板部６３上に立設する棒状部であり、先端にガイド孔６２ａを備えている。ガイド孔６２ａは人形本体１１の挿入方向に対して斜めに形成された長孔であり、上述した支持軸５５を貫通させて摺動可能となっている。
【００４０】
上記した衣服部品４０の脚部材６０および腕部材５０は、人形本体１１が取り付けられる前においては、図２及び図３（ａ）に示すように圧縮バネ６７によって反突出方向に付勢されて外殻部材４１の内部に格納されている。
【００４１】
詳しくは、圧縮バネ６７が脚部材６０のバネ受部６０ｈを上方に付勢することで、脚部材６０が外殻部材４１の内部に格納される方向に押し上げられている。このとき、脚部材６０が押し上げられていることでガイド孔６２ａを貫通する支持軸５５も押し上げられており、支持軸５５を保持する腕部材５０も上方に押し上げられている。これにより、腕部材５０も外殻部材４１の内部に格納される方向に押し上げられている。
【００４２】
一方、衣服部品４０の上部に開口する挿入孔４０ａから人形本体１１の胴体部２０を差し込むと、図３（ｂ）に示すように、圧縮バネ６７の付勢力に抗して腕部材５０および脚部材６０が衣服部品４０の外部に突出する。
【００４３】
詳しくは、図５及び図６に示すように、人形本体１１が衣服部品４０に挿入されることで、人形本体１１の胴体部２０の底面が脚部材６０の接面６０ａを押し下げる。これにより、脚部材６０の脚部６１が外殻部材４１の下部開口４１ｂから突出する。また、脚部材６０が下方に移動することにより、ガイド孔６２ａを貫通する支持軸５５も押し下げられ、支持軸５５を保持する腕部材５０も下方に押し下げられる。これにより、腕部材５０の先端が外殻部材４１の側部開口４１ｃから外部に突出する。
【００４４】
なお、腕部材５０は外殻部材４１の内部に形成されたガイド溝４１ｄに沿って斜めに摺動するため、脚部材６０の移動距離と腕部材５０の移動距離との間に差異が生じるが、ガイド孔６２ａが斜めに形成されていることでこの差異を吸収できるようになっている。
【００４５】
ここで、図６に示すように、挿入孔４０ａの内側には被係合部４１ｈが切欠き形成されており、この被係合部４１ｈに人形本体１１の係合部２５ａが係合することで、人形本体１１が衣服部品４０に装着された状態を維持できるようになっている。具体的には、人形本体１１の胴体部２０が完全に挿入孔４０ａの内部に挿入されたときに、係合部２５ａと被係合部４１ｈとが係合し、人形本体１１が衣服部品４０から抜け落ちないようになっている。このため、人形本体１１を衣服部品４０に挿入した後に手を離しても、人形本体１１と衣服部品４０とが結合した状態を維持できるようになっている。
【００４６】
なお、人形本体１１と衣服部品４０とを分離したい場合には、外殻部材４１から突出している脚部６１を軽く押し込めばよい。これにより、係合部２５ａと被係合部４１ｈとの係合が解除され、圧縮バネ６７の付勢力によって人形本体１１が押し出されるとともに、腕部材５０及び脚部材６０が外殻部材４１の内部へと格納される。
【００４７】
以上説明したように、本実施形態によれば、頭部１２と胴体部２０とを備えた人形本体１１と、人形本体１１を着脱自在な衣服部品４０と、を備え、衣服部品４０の上部に形成された挿入孔４０ａから人形本体１１の胴体部２０を差し込むことで、圧縮バネ６７の付勢力に抗して腕部材５０および脚部材６０が衣服部品４０の外部に突出するため、年齢の低い幼児であってもワンタッチで容易に衣服の着脱をすることができる。また、人形本体１１の挿抜に合わせて腕部材５０および脚部材６０が衣服部品４０の内外に出没するため、人形が衣服を着たり脱いだりする様子を新規な印象で表現することができる。
【００４８】
（第２の実施形態）
本発明の第２の実施形態について、図７〜１８を参照しながら説明する。
【００４９】
本実施形態に係る玩具１０は、人形本体１１と、この人形本体１１を着脱自在な衣服部品４０と、を備えている。
【００５０】
人形本体１１は、図７に示すように、略球状の頭部１２と、この頭部１２の下部に連続する略四角柱状の胴体部２０と、頭部１２及び胴体部２０の内部に格納されたラックギア３０と、を備えている。
【００５１】
頭部１２は、図１０に示すように、前頭部１３と後頭部１４とを前後に接合し、接合した前頭部１３及び後頭部１４の上から頭髪部１５を被せるようにして固定したものである。
【００５２】
この頭部１２は、ラックギア３０の上端部を挟み込むことでラックギア３０を保持している。詳しくは、頭部１２の内部には固定突起１２ｂが突出形成されており、この固定突起１２ｂが、ラックギア３０の上端部に貫通形成された固定孔３０ｂを貫通することで、ラックギア３０を保持している。また、この固定突起１２ｂ付近にはバネ受部１２ａが形成されており、バネを用いた胴体付勢手段３５の上端を固定できるようになっている。
【００５３】
前頭部１３及び後頭部１４の内部は中空となっており、空洞部１２ｃを形成している。この空洞部１２ｃは、後述するように胴体部２０が頭部１２に対して進退するためのスペースとして使用される。
【００５４】
胴体部２０は、図１０に示すように、前胴部２１と後胴部２２とが前後に接合して構成されている。この胴体部２０は、平面視で頭部１２に隠れる大きさとなっており、言い換えると、衣服部品４０への挿入方向に投影したときに胴体部２０の投影領域が頭部１２の投影領域内に収まるようになっている。
【００５５】
胴体部２０の内部には、ラック挿通路２０ｄが形成されている。このラック挿通路２０ｄには、頭部１２に固定されたラックギア３０が貫通している。この胴体部２０は、頭部１２に進退可能に保持されており、ラック挿通路２０ｄを貫通するラックギア３０によって進退動作をガイドされている。
【００５６】
胴体部２０の上部には、バネ受部２０ｂが設けられており、このバネ受部２０ｂには胴体付勢手段３５の下端が固定される。これにより、胴体部２０は、胴体付勢手段３５によって頭部１２から突出する方向（下方向）に常時付勢されることとなる。これにより、衣服部品４０に装着されていないときには、胴体部２０が下方に突出することで、ラックギア３０が完全に胴体部２０の内部に収容された状態となっている。
【００５７】
なお、胴体付勢手段３５の付勢力に抗して胴体部２０を頭部１２の空洞部１２ｃへ押し込むと、胴体部２０が上方に摺動することで、胴体部２０の内部に格納されたラックギア３０が露出する。すなわち、胴体部２０の下部にはラックギア３０を外部に露出させるためのラック孔２０ｃが開口しており、胴体部２０を摺動させることでラックギア３０がラック孔２０ｃから外部に突出するように形成されている。
【００５８】
ラックギア３０は、下部側面にラック歯３０ｃを備えた部材であり、上記したように、上端の固定孔３０ｂを介して頭部１２に固定される。このラックギア３０の下端部付近には、わずかな段差によって係合部３０ａが設けられており、後述する被係合部６０ｇと係合可能となっている。
【００５９】
一方、衣服部品４０は、図８及び図１０に示すように、外殻部材４１と、この外殻部材４１から突出可能な腕部材５０及び脚部材６０と、腕部材５０と係合可能な揺動部材７０と、を備えている。
【００６０】
外殻部材４１は、衣服の形状を模した部材であり、本実施形態では袖のあるワンピースの形状となっている。この外殻部材４１は、図１０に示すように、前殻部材４２と後殻部材４３とが前後に接合して構成されたものであり、上部には上部開口４１ａが開口し、下部には下部開口４１ｂが開口している。この上部開口４１ａと下部開口４１ｂとは上下に連続しており、衣服部品４０を上下に貫通する挿入孔４０ａを形成している。そして、この挿入孔４０ａの内周面の一部には、挿入方向に沿って鋸状のラックギア部４１ｅが形成されている。また、外殻部材４１の両側部には、側部開口４１ｃが開口している。この側部開口４１ｃは、外殻部材４１の側部に縦長のスリット状に開口している。
【００６１】
なお、上部開口４１ａの大きさは、人形本体１１の胴体部２０が通過できる程度に大きく、人形本体１１の頭部１２が通過できない程度に小さく設定されている。
【００６２】
また、下部開口４１ｂの大きさは、後述する脚部材６０の先端が通過できる程度の大きさに設定されている。
【００６３】
また、側部開口４１ｃの大きさは、腕部材５０の先端が通過できる程度の大きさに設定されている。
【００６４】
腕部材５０は、図１０に示すように、左右に２つ（右腕部材５１及び左腕部材５２）設けられており、外殻部材４１の内部（衣服の袖の内側に当たる位置）に揺動可能に軸支されている。この腕部材５０の基部付近には軸孔５０ａが設けられている。この軸孔５０ａは支持軸５５を貫通させるためのものである。軸孔５０ａを貫通する支持軸５５は、外殻部材４１に設けられた腕支持孔４１ｇに保持され、これにより、腕部材５０は支持軸５５を中心に揺動可能となっている。
【００６５】
この２つの腕部材５０は、外側に揺動することで、外殻部材４１の側部開口４１ｃから外部に突出可能である。しかしながら、この２つの腕部材５０は、それぞれ付勢部材としての捩りコイルバネ６８によって反突出方向（内側）に付勢されており、人形本体１１が取り付けられる前においては、図８及び図９（ａ）に示すように外殻部材４１の内部に格納されている。
【００６６】
脚部材６０は、人形の脚を模した部材であり、図１０に示すように、前脚部材７５と後脚部材７６とが前後に接合して構成されている。この脚部材６０は、挿入孔４０ａの内周面に沿って上下に摺動可能となっている。
【００６７】
脚部材６０の上端面は、人形本体１１の挿入方向に対して垂直な接面６０ａを形成しており、この接面６０ａの中央付近にはラック挿入口６０ｂが開口している。ラック挿入口６０ｂの奥には、ラックギア３０が上下に挿通可能なラック通路６０ｃが形成されている。ラック通路６０ｃの側部には、ピニオンギア６５を軸支するためのピニオン軸孔６０ｄが穿設されている。ピニオン軸孔６０ｄにはピニオン軸６６が固定され、このピニオン軸６６でピニオンギア６５が回転可能に支持される。ピニオン軸６６で支持されたピニオンギア６５は、ラック通路６０ｃの側面に切欠き形成されたピニオン露出口６０ｅを介して、ラック通路６０ｃに臨むようになっている。また、このピニオンギア６５は、ラック通路６０ｃとは逆側において外殻部材４１に形成されたラックギア部４１ｅと噛合している。これにより、ラック通路６０ｃにラックギア３０が挿通されたときに、ラックギア３０のラック歯３０ｃがピニオンギア６５と噛合してピニオンギア６５を回転させ、このピニオンギア６５の回転力が外殻部材４１に形成されたラックギア部４１ｅに伝達されるようになっている。
【００６８】
なお、ラック通路６０ｃの内側面には、被係合部６０ｇが形成されている。この被係合部６０ｇは、上述したラックギア３０の係合部３０ａと係合させるための突出部である。
【００６９】
また、脚部材６０の外側面には、係合突起６０ｆが突出形成されている。この係合突起６０ｆは、後述する揺動部材７０を揺動させるための突起である。
【００７０】
この脚部材６０は、下方向に摺動することで、外殻部材４１の下部開口４１ｂから外部に突出可能である。しかしながら、この脚部材６０は、付勢部材としての圧縮バネ６７によって付勢されており、人形本体１１が取り付けられる前においては、図８及び図９（ａ）に示すように圧縮バネ６７によって反突出方向（上方向）に付勢されて外殻部材４１の内部に格納されている。
【００７１】
揺動部材７０は、図１０に示すように、２つの腕部材５０に対応するように左右に２つ設けられており、外殻部材４１の内部に揺動可能に軸支されている。この揺動部材７０は、中央の揺動軸７０ａを挟んで、内側突出部７０ｂと外側突出部７０ｃとが設けられた略Ｌ字形の部材である。揺動軸７０ａは、外殻部材４１に設けられた揺動軸孔４１ｆに回動可能に保持され、これにより、揺動軸７０ａは揺動軸７０ａを中心に揺動可能となっている。
【００７２】
なお、内側突出部７０ｂは、上述した脚部材６０の係合突起６０ｆと係合可能な位置に配置され、外側突出部７０ｃは、腕部材５０の先端付近と接触可能な位置に配置されている。
【００７３】
ところで、上記したように、衣服部品４０の脚部材６０および腕部材５０は、人形本体１１が取り付けられる前においては、図８及び図９（ａ）に示すように圧縮バネ６７及び捩りコイルバネ６８によって反突出方向に付勢されて外殻部材４１の内部に格納されている。
【００７４】
この状態において、衣服部品４０の上部に開口する挿入孔４０ａから人形本体１１の胴体部２０を差し込むと、図９（ｂ）に示すように、圧縮バネ６７及び捩りコイルバネ６８の付勢力に抗して腕部材５０および脚部材６０が衣服部品４０の外部に突出する。以下、この作動について詳述する。
【００７５】
図１１〜１３は、脚部材６０の突出に係る内部機構を説明する図である。
【００７６】
人形本体１１を衣装部品４０に取り付ける前においては、図１１に示すように、圧縮バネ６７が脚部材６０を押し上げている。
【００７７】
この状態で人形本体１１の胴体部２０を差し込むと、図１２に示すように、脚部材６０の接面６０ａと胴体部２０の底部２０ａとが接触し、胴体部２０が頭部１２の内方へと押し込まれる。これにより、胴体部２０の内部に格納されたラックギア３０が露出する。ラックギア３０は人形本体１１の頭部１２に固定されているため、胴体部２０の動きとは無関係に下方へと押し込まれ、脚部材６０のラック挿入口６０ｂを通ってラック通路６０ｃに挿通される。
【００７８】
このようにラックギア３０が挿通されるに従い、ラックギア３０のラック歯３０ｃがラック通路６０ｃに臨むピニオンギア６５を回転させ、このピニオンギア６５の回転力は外殻部材４１のラックギア部４１ｅに伝達される。ピニオンギア６５の回転力がラックギア部４１ｅに伝達されると、外殻部材４１は脚部材６０に対して相対的に持ち上がる方向に移動する。
【００７９】
そして、人形本体１１の胴体部２０が完全に挿入孔４０ａの内部に挿入されると、図１３に示すように、人形としてバランス良く脚部材６０が外殻部材４１から突出した状態となる。
【００８０】
次に、図１４〜１６は、腕部材５０の突出に係る内部機構を説明する図である。
【００８１】
人形本体１１を衣装部品４０に取り付ける前においては、図１４に示すように、捩りコイルバネ６８が腕部材５０を内側に付勢している。
【００８２】
この状態で人形本体１１の胴体部２０を差し込むと、上述したように、ピニオンギア６５の回転力がラックギア部４１ｅに伝達されることで外殻部材４１が脚部材６０に対して相対的に持ち上がる方向に移動する。これにより、図１５に示すように、脚部材６０の側部に設けられた係合突起６０ｆが、外殻部材４１から見て下方に移動する。
【００８３】
更に外殻部材４１が脚部材６０に対して相対的に持ち上がる方向に移動すると、図１６に示すように、係合突起６０ｆが揺動部材７０の内側突出部７０ｂを押し下げ、揺動部材７０を揺動させる。揺動部材７０が揺動することで、揺動部材７０の外側突出部７０ｃが腕部材５０を外側に押し出す。これにより、外側突出部７０ｃに押し出された腕部材５０が捩りコイルバネ６８の付勢力に抗して揺動し、外殻部材４１の側部開口４１ｃから外部に突出する。
【００８４】
図１７及び図１８は、係合部３０ａと被係合部６０ｇとの係合に係る内部機構を説明する図である。
【００８５】
この図１７及び図１８が示すように、ラック通路６０ｃの内側に形成された被係合部６０ｇにラックギア３０の係合部３０ａが係合することで、人形本体１１が衣服部品４０に装着された状態を維持できるようになっている。具体的には、人形本体１１の胴体部２０が完全に挿入孔４０ａの内部に挿入されたときに、係合部３０ａと被係合部６０ｇとが係合し、人形本体１１が衣服部品４０から抜け落ちないようになっている。このため、人形本体１１を衣服部品４０に挿入した後に手を離しても、人形本体１１と衣服部品４０とが結合した状態を維持できるようになっている。
【００８６】
なお、人形本体１１と衣服部品４０とを分離したい場合には、外殻部材４１から突出している脚部６１を軽く押し込めばよい。これにより、係合部３０ａと被係合部６０ｇとの係合が解除され、圧縮バネ６７の付勢力によって人形本体１１が押し出されるとともに、脚部材６０が外殻部材４１の内部へと格納され、捩りコイルバネ６８の付勢力によって腕部材５０が外殻部材４１の内部へと格納される。
【００８７】
以上説明したように、本実施形態によれば、頭部１２と胴体部２０とを備えた人形本体１１と、人形本体１１を着脱自在な衣服部品４０と、を備え、衣服部品４０の上部に形成された挿入孔４０ａから人形本体１１の胴体部２０を差し込むことで、圧縮バネ６７及び捩りコイルバネ６８の付勢力に抗して腕部材５０および脚部材６０が衣服部品４０の外部に突出するため、年齢の低い幼児であってもワンタッチで容易に衣服の着脱をすることができる。また、人形本体１１の挿抜に合わせて腕部材５０および脚部材６０が衣服部品４０の内外に出没するため、人形が衣服を着たり脱いだりする様子を新規な印象で表現することができる。
【００８８】
また、衣服部品４０の挿入孔４０ａから人形本体１１の胴体部２０を差し込んだときに、人形本体１１のラックギア３０が脚部材６０のピニオンギア６５を回転させ、このピニオンギア６５の回転力が外殻部材４１のラックギア部４１ｅに伝達され、外殻部材４１と脚部材６０とが相対的に移動する。このため、人形本体１１の挿入によって外殻部材４１が脚部材６０に対してせり上がるように形成することができ、接地した衣服部品４０の上から人形本体１１を挿入した場合でも、外殻部材４１が脚部材６０に対してせり上がることで脚部材６０を衣服部品４０の外部に突出させることができる。例えば、地面に置いた衣服部品４０に対して、幼児が片手で持った人形本体１１を挿入して上から押し付けるような操作をした場合でも、人形本体１１を衣服部品４０に装着することができる。
【００８９】
また、人形本体１１の胴体部２０を頭部１２へ押し込んだときに、胴体部２０の内部に格納されたラックギア３０が露出するようになっている。このため、衣服部品４０に取り付けていない状態では人形本体１１のラックギア３０が露出しないようにすることができ、ラックギア３０が露出することによって外観が不自然になるといった問題がない。
【００９０】
また、外殻部材４１と脚部材６０とが相対的に移動したときに、脚部材６０が揺動部材７０を揺動させ、揺動した揺動部材７０が腕部材５０を外方に突出させるため、脚部材６０の動きに連動させて腕部材５０を作動させることができる。
【００９１】
また、ラックギア３０の先端に係合部３０ａを設けるとともに、脚部材６０の内側に被係合部６０ｇを設け、係合部３０が被係合部６０ｇに係合することで、人形本体１１が衣服部品４０に装着された状態を維持するので、ラックギア３０が所定の位置まで挿し込まれた状態（すなわち外殻部材４１と脚部材６０とが所定の位置まで相対的に移動した状態）で固定することができる。また、このように固定した人形本体１１と衣服部品４０とを分離する際には、脚部材６０を外殻部材４１の方向に押し込むことで係合部３０と被係合部６０ｇとの係合を解除すればよく、容易に人形本体１１と衣服部品４０とを分離することができる。
【符号の説明】
【００９２】
１０  玩具
１１  人形本体
１２  頭部
１２ａ  バネ受部
１２ｂ  固定突起
１２ｃ  空洞部
１３  前頭部
１４  後頭部
１５  頭髪部
２０  胴体部
２０ａ  底部
２０ｂ  バネ受部
２０ｃ  ラック孔
２０ｄ  ラック挿通路
２１  前胴部
２２  後胴部
２５  係合部材
２５ａ  係合部
３０  ラックギア
３０ａ  係合部
３０ｂ  固定孔
３０ｃ  ラック歯
３５  胴体付勢手段
４０  衣服部品
４０ａ  挿入孔
４１  外殻部材
４１ａ  上部開口
４１ｂ  下部開口
４１ｃ  側部開口
４１ｄ  ガイド溝
４１ｅ  ラックギア部
４１ｆ  揺動軸孔
４１ｇ  腕支持孔
４１ｈ  被係合部
４２    前殻部材
４３  後殻部材
５０  腕部材
５０ａ  軸孔
５１  右腕部材
５２  左腕部材
５５  支持軸
６０  脚部材
６０ａ  接面
６０ｂ  ラック挿入口
６０ｃ  ラック通路
６０ｄ  ピニオン軸孔
６０ｅ  ピニオン露出口
６０ｆ  係合突起
６０ｇ  被係合部
６０ｈ  バネ受部
６１  脚部
６２  腕支持部
６２ａ  ガイド孔
６３  支持板部
６５  ピニオンギア
６６  ピニオン軸
６７  圧縮バネ（付勢部材）
６８  捩りコイルバネ（付勢部材）
７０  揺動部材
７０ａ  揺動軸
７０ｂ  内側突出部
７０ｃ  外側突出部
７５  前脚部材
７６  後脚部材
【図１】
2013223583.tif 000003
【図２】
2013223583.tif 000004
【図３】
2013223583.tif 000005
【図４】
2013223583.tif 000006
【図５】
2013223583.tif 000007
【図６】
2013223583.tif 000008
【図７】
2013223583.tif 000009
【図８】
2013223583.tif 000010
【図９】
2013223583.tif 000011
【図１０】
2013223583.tif 000012
【図１１】
2013223583.tif 000013
【図１２】
2013223583.tif 000014
【図１３】
2013223583.tif 000015
【図１４】
2013223583.tif 000016
【図１５】
2013223583.tif 000017
【図１６】
2013223583.tif 000018
【図１７】
2013223583.tif 000019
【図１８】
2013223583.tif 000020